(57)【要約】【課題】チケット等の予約の際に、チケット等の発行を提供する主催者側に主導権を与えて、主催者側の過負荷を抑える主催者主導型予約方法及びシステムの提供。【解決手段】予約申込者の端末装置２より通信ネットワークＮを介して主催者の予約受付装置１にアクセスして予約を行うシステムαにおいて、予約受付装置１側で予約の費用精算の情報、端末装置２のアドレス情報を蓄積し、また、端末装置２側で予約希望情報を蓄積しておき、予約受付装置１が検索情報を端末装置２へ送信することにより、端末装置２が当該検索情報から予約希望情報を検索し、その結果情報を予約受付装置１が受信して費用の精算を行うことの特徴的構成手段の採用。【選択図】図１
2004258980.tif 000002
【特許請求の範囲】
【請求項１】
予約申込者の端末装置より通信ネットワークを介して主催者の予約受付装置にアクセスして予約を行う方法であって、
先ず、前記端末装置が、
前記予約に必須の情報である予約希望情報を蓄積するステップと、
前記予約受付装置へ前記アクセスし予約の費用精算の情報を送信するとともに予約の費用の手続を行うステップと、
次に、前記予約受付装置が、
当該送信された予約の費用精算の情報を蓄積するステップと、
引続き、前記端末装置が、
前記予約受付装置へ前記アクセスし予約申込の手続を行うステップと、
さらに、前記予約受付装置が、
前記予約希望情報を蓄積した端末装置へ前記アクセスし検索情報を送信するステップと、
その後、当該端末装置が、
当該受信した検索情報により前記予約希望情報を検索し、検索結果情報を前記予約受付装置へ送信するステップと、
最終的に、当該予約受付装置が、
当該送信された検索結果情報と前記蓄積された予約の費用精算の情報から費用の精算をするステップと、を順次踏んで実施する、
ことを特徴とする主催者主導型予約方法。
【請求項２】
前記予約希望情報は、
前記主催者毎に指定された項目及び内容である、
ことを特徴とする請求項１に記載の主催者主導型予約方法。
【請求項３】
前記予約希望情報は、
前記予約の申込毎に指定された項目及び内容である、
ことを特徴とする請求項１に記載の主催者主導型予約方法。
【請求項４】
前記予約の費用精算の情報は、
前記主催者毎に指定された項目及び内容である、
ことを特徴とする請求項１、２又は３に記載の主催者主導型予約方法。
【請求項５】
前記予約の費用精算の情報は、
前記予約の申込毎に指定された項目及び内容である、
ことを特徴とする請求項１、２又は３に記載の主催者主導型予約方法。
【請求項６】
前記予約希望情報は、
希望するイベントの題名、日程、性別、生年月日、電話番号、Ｅ−ｍａｉｌアドレス等であり、
前記予約の費用精算の情報は、
予約申込費支払用の決済及び予約が完了したときのチケット代等の個人情報である、
ことを特徴とする請求項１、２、３、４又は５に記載の主催者主導型予約方法。
【請求項７】
前記予約申込の手続を行うステップは、
前記予約受付装置が、
既に予約申込をした前記端末装置のアドレス情報を蓄積しておき、
予約申込の要求をした他の前記端末装置に対し、前記既に予約申込をした端末装置のアドレス情報を送信するステップと、
当該アドレス情報を受信した端末装置が、
当該既に予約申込をした端末装置との間でＰ２Ｐ（Ｐｅｅｒ  ｔｏ  Ｐｅｅｒ）接続を行うステップと、以上の一連の連係ステップであり、
前記検索情報を送信するステップは、
前記予約受付装置が、
前記既に予約申込をした端末装置に前記アクセスし、前記検索情報を送信するステップと、
当該検索情報を受信した端末装置が、
前記Ｐ２Ｐ接続を行った端末装置に対し、当該Ｐ２Ｐ接続により当該検索情報を送信するステップと、以上の一連の連係ステップである、
ことを特徴とする請求項１、２、３、４、５又は６に記載の主催者主導型予約方法。
【請求項８】
前記予約申込の手続を行うステップは、
前記予約受付装置が、
事前の会員登録により前記端末装置のアドレス情報を蓄積しておき、
予約申込の要求をした前記端末装置に対し、当該事前の会員登録で取得した端末装置のアドレス情報により前記Ｐ２Ｐ接続先の端末装置を決定し、
当該Ｐ２Ｐ接続先の端末装置のアドレス情報を予約申込の要求した前記端末装置に送信するステップである、
ことを特徴とする請求項７に記載の主催者主導型予約方法。
【請求項９】
前記予約希望情報を蓄積するステップ及び前記検索結果情報を前記予約受付装置へ送信するステップは、
前記端末装置を代行する端末代行装置により行われ、
前記検索情報を送信するステップは、
前記予約受付装置が当該端末代行装置に対して検索情報を送信するステップである、
ことを特徴とする請求項１、２、３、４、５又は６に記載の主催者主導型予約方法。
【請求項１０】
前記検索結果情報を前記予約受付装置へ送信するステップは、
前記検索情報と前記予約希望情報が一致したときのみ前記検索結果情報を前記予約受付装置へ送信する、
ことを特徴とする請求項１、２、３、４、５、６、７、８又は９に記載の主催者主導型予約方法。
【請求項１１】
予約申込者の端末装置より通信ネットワークを介して主催者の予約受付装置にアクセスして予約を行うシステムにおいて、
前記予約受付装置は、
前記端末装置から受信した予約の費用精算の情報を蓄積する費用手続受付手段と、
前記端末装置から受信した当該端末装置のアドレス情報を蓄積する予約手続受付手段と、
前記端末装置から受信した検索結果情報を蓄積する検索結果受信手段と、
当該端末装置にアクセスし検索情報を送信する機能と、前記検索結果情報と前記予約の費用精算の情報から費用の精算をする機能とを有する予約受付装置制御手段と、を備え、
前記端末装置は、
前記予約に必須の情報である予約希望情報を蓄積する予約希望情報蓄積手段と、
前記予約受付装置から受信した前記検索情報により前記予約希望情報を検索し前記検索結果情報を生成する予約希望情報検索手段と、
前記予約の費用精算の情報を前記予約受付装置へ送信する機能と、当該端末装置のアドレス情報を前記予約受付装置へ送信する機能と、前記検索結果情報を前記予約受付装置へ送信する機能とを有する端末装置制御手段と、を備える、
ことを特徴とする主催者主導型予約システム。
【請求項１２】
前記予約希望情報は、
前記主催者毎に指定された項目及び内容である、
ことを特徴とする請求項１１に記載の主催者主導型予約システム。
【請求項１３】
前記予約希望情報は、
前記予約の申込毎に指定された項目及び内容である、
ことを特徴とする請求項１１に記載の主催者主導型予約システム。
【請求項１４】
前記予約の費用精算の情報は、
前記主催者毎に指定された項目及び内容である、
ことを特徴とする請求項１１、１２又は１３に記載の主催者主導型予約システム。
【請求項１５】
前記予約の費用精算の情報は、
前記予約の申込毎に指定された項目及び内容である、
ことを特徴とする請求項１１、１２又は１３に記載の主催者主導型予約システム。
【請求項１６】
前記予約希望情報は、
希望するイベントの題名、日程、性別、生年月日、電話番号、Ｅ−ｍａｉｌアドレス等であり、
前記予約の費用精算の情報は、
予約申込費支払用の決済及び予約が完了したときのチケット代等の個人情報である、
ことを特徴とする請求項１１、１２、１３、１４又は１５に記載の主催者主導型予約システム。
【請求項１７】
前記予約手続受付手段は、
前記端末装置からアドレス情報を受信した際に、当該アドレス情報を蓄積し、既に予約申込をした前記端末装置のアドレス情報を予約申込の要求をした他の前記端末装置に対して送信可能に機能構成され、
前記端末装置は、
他の前記端末装置のアドレス情報を受信した場合にあっては、当該アドレス情報により特定される前記端末装置とＰ２Ｐ接続可能に、かつ、
前記受信した検索情報を当該Ｐ２Ｐ接続先の端末装置へ送信可能に、それぞれ機能構成される、
ことを特徴とする請求項１１、１２、１３、１４、１５又は１６に記載の主催者主導型予約システム。
【請求項１８】
前記予約手続受付手段は、
事前に会員登録がなされる場合にあっては、会員である予約申込者の前記端末装置のアドレス情報を蓄積しておき、当該情報から前記Ｐ２Ｐ接続先の端末装置のアドレス情報を決定し、当該アドレス情報を予約申込の要求をした前記端末装置に送信する、
ことを特徴とする請求項１７に記載の主催者主導型予約システム。
【請求項１９】
前記予約希望情報蓄積手段及び前記予約希望情報検索手段は、
前記予約申込者の端末装置内に代えて、別設した端末代行装置内に設けられ、
これに伴い、前記予約受付装置制御手段は、
当該端末代行装置に対して前記検索情報を送信する機能を有せしめ、
前記端末代行装置は、
当該端末代行装置のアドレス情報を前記予約受付装置へ送信する機能と、
前記予約希望情報検索手段により生成された検索結果情報を前記予約受付装置へ送信する機能とを有する端末代行装置制御手段をさらに備える、
ことを特徴とする請求項１１、１２、１３、１４、１５又は１６に記載の主催者主導型予約システム。
【請求項２０】
前記端末装置制御手段は、
前記検索情報と前記予約希望情報が一致したときのみ前記検索結果情報を前記予約受付装置へ送信する機能を有する、
ことを特徴とする請求項１１、１２、１３、１４、１５、１６、１７、１８又は１９に記載の主催者主導型予約システム。
【発明の詳細な説明】
【０００１】
【発明の属する技術分野】
本発明は、通信ネットワークを利用してチケット等の予約を行う方法及びシステムであって、特に主催者の主導に従って予約を行うことを可能とする方法及びその実施に直接使用するシステムに関する。
【０００２】
【従来の技術】
従来、チケット等を予約する方法としては、葉書、電話、メール、Ｗｅｂ、ｉ−ｍｏｄｅ（登録商標）、発券機または直接窓口に赴いて購入する等の多数が存在するが、いずれも予約する側即ち予約申込者側に主導権があり、予約される側即ち主催者側は受動的となるものであった。
【０００３】
そのため、人気があり購入可能数に限りがあるチケットの場合は、発売開始と同時に予約申込が短時間に殺到し、主催者側が人的稼動で受付を実施する場合には、多くの人を配置し、さらにはその分の通信設備を確保することで対応してきた。
【０００４】
また、主催者側がシステムで受付を実施する場合には、全ての予約申込者の予約希望情報を受付け、蓄積し、処理する必要があり、システムの容量や処理性能を大きくすることで対応する必要があった。よって、いずれの場合でも多大なコストがかかるという問題があった。
【０００５】
更に、近年のインターネットの普及等により人気のチケットの予約申込をする人が増大すると、主催者側のコスト負担も一層増大し、従来の方法ではその対価を得ることができなかった。一例として、葉書による場合は郵便事業者が対価を得ているに過ぎないのである。
【０００６】
ここで、従来の技術に関する文献として以下のものがある。
【特許文献１】
特開２００２−１９７２２６号公報「チケット予約システム及び方法」
【特許文献２】
特開２００２−１６３５１８号公報「予約サーバ、ユーザ端末及び予約システム並びに予約方法」
【０００７】
【特許文献３】
特開２００１−２０２４３５号公報「限定品配給システム及び限定品配給方法」
以上に挙げたものは全て、予約等の提供を希望する側に主導権がある予約方法である。
【０００８】
【発明が解決しようとする課題】
上記のように、従来のチケット等の予約方法及びシステムにおいては、予約申込者側に主導権があり、主催者側は多大なコスト負担を強いられているにもかかわらず、その対価を得ることができないという問題があった。
【０００９】
ここにおいて、本発明の解決すべき主要な目的は以下の通りである。
即ち、本発明の第１の目的は、予約が短時間に殺到した場合でも予約のトラヒックを一定に保ち、急上昇を避ける主催者主導型予約方法及びシステムの提供にある。
【００１０】
本発明の第２の目的は、予約受付システムの容量や処理性能を大きくせずに安定稼動する主催者主導型予約方法及びシステムの提供にある。
【００１１】
本発明の第３の目的は、主催者の予約システムの稼動による多大なコスト負担を抑え、主催者が予約申込者から予約の稼動の対価が得られるようにする主催者主導型予約方法及びシステムの提供にある。
【００１２】
本発明の他の目的は、明細書、図面、特に特許請求の範囲における各請求項の記載から自ずと明らかになろう。
【００１３】
【課題を解決するための手段】
先ず、本発明方法は、上記課題の解決に当り、予約申込者の端末装置より通信ネットワークを介して主催者の予約受付装置にアクセスして予約を行うに当り、前記端末装置が予約希望情報を蓄積し、当該予約受付装置へアクセスして予約の費用精算の情報を送信するとともに予約の費用の手続をし、当該予約受付装置が送信された予約の費用精算の情報を蓄積し、前記端末装置が当該予約受付装置へアクセスして予約申込の手続をし、当該予約受付装置が当該端末装置に対して検索情報を送信すると、当該端末装置が当該検索情報をもとに蓄積した前記予約希望情報を検索し、検索結果情報を前記予約受付装置へ送信した後、当該予約受付装置が当該検索結果情報と前記予約の費用精算の情報とから費用の精算を行う特徴的構成手法を講じる。
【００１４】
一方、本発明システムは、上記課題の解決に当り、予約申込者の端末装置より通信ネットワークを介して主催者の予約受付装置にアクセスして予約を行うシステムにおいて、前記予約受付装置が、前記端末装置から受信した予約の費用精算の情報を蓄積する費用手続受付手段と、前記端末装置から受信した予約申込者の端末装置のアドレス情報を蓄積する予約手続受付手段と、前記端末装置から受信した検索結果情報を蓄積する検索結果受信手段と、当該予約申込者の端末装置にアクセスし検索情報を送信する機能と、前記検索結果情報と前記予約の費用精算の情報から費用の精算をする機能とをそれぞれ有する予約受付装置制御手段とを備え、一方で前記端末装置が、前記予約申込者の予約希望情報を蓄積する予約希望情報蓄積手段と、前記予約受付装置から受信した検索情報により当該予約希望情報を検索し前記検索結果情報を生成する予約希望情報検索手段と、前記予約の費用精算の情報を前記予約受付装置へ送信する機能と、当該端末装置のアドレス情報を前記予約受付装置へ送信する機能と、前記検索結果情報を前記予約受付装置へ送信する機能とをそれぞれ有する端末装置制御手段とを備える特徴的構成手段を講じる。
【００１５】
更に詳説すると、当該課題の解決では、本発明が次に列挙する上位概念から下位概念に亘る新規な特徴的構成手法又は手段を採用することにより、上記目的を達成するようになされる。
【００１６】
即ち、本発明方法の第１の特徴は、予約申込者の端末装置より通信ネットワークを介して主催者の予約受付装置にアクセスして予約を行う方法であって、先ず、前記端末装置が、前記予約に必須の情報である予約希望情報を蓄積するステップと、前記予約受付装置へ前記アクセスし予約の費用精算の情報を送信するとともに予約の費用の手続を行うステップと、次に、前記予約受付装置が、当該送信された予約の費用精算の情報を蓄積するステップと、引続き、前記端末装置が、前記予約受付装置へ前記アクセスし予約申込の手続を行うステップと、さらに、前記予約受付装置が、前記予約希望情報を蓄積した端末装置へ前記アクセスし検索情報を送信するステップと、その後、当該端末装置が、当該受信した検索情報により前記予約希望情報を検索し、検索結果情報を前記予約受付装置へ送信するステップと、最終的に、当該予約受付装置が、当該送信された検索結果情報と前記蓄積された予約の費用精算の情報から費用の精算をするステップとを順次踏んで実施してなる主催者主導型予約方法の構成採用にある。
【００１７】
本発明方法の第２の特徴は、上記本発明方法の第１の特徴における予約希望情報が、前記主催者毎に指定された項目及び内容である主催者主導型予約方法の構成採用にある。
【００１８】
本発明方法の第３の特徴は、上記本発明方法の第１の特徴における予約希望情報が、前記予約の申込毎に指定された項目及び内容である主催者主導型予約方法の構成採用にある。
【００１９】
本発明方法の第４の特徴は、上記本発明方法の第１、第２又は第３の特徴における予約の費用精算の情報が、前記主催者毎に指定された項目及び内容である主催者主導型予約方法の構成採用にある。
【００２０】
本発明方法の第５の特徴は、上記本発明方法の第１、第２又は第３の特徴における予約の費用精算の情報が、前記予約の申込毎に指定された項目及び内容である主催者主導型予約方法の構成採用にある。
【００２１】
本発明方法の第６の特徴は、上記本発明方法の第１、第２、第３、第４又は第５の特徴における予約希望情報が、希望するイベントの題名、日程、性別、生年月日、電話番号、Ｅ−ｍａｉｌアドレス等であり、予約の費用精算の情報が、予約申込費支払用の決済及び予約が完了したときのチケット代等の個人情報である主催者主導型予約方法の構成採用にある。
【００２２】
本発明方法の第７の特徴は、上記本発明方法の第１、第２、第３、第４、第５又は第６の特徴における予約申込の手続を行うステップが、前記予約受付装置が、既に予約申込をした前記端末装置のアドレス情報を蓄積しておき、予約申込の要求をした他の前記端末装置に対し、前記既に予約申込をした端末装置のアドレス情報を送信するステップと、当該アドレス情報を受信した端末装置が、当該既に予約申込をした端末装置との間でＰ２Ｐ（Ｐｅｅｒ  ｔｏ  Ｐｅｅｒ）接続を行うステップと、以上の一連の連係ステップであり、前記検索情報を送信するステップが、前記予約受付装置が、前記既に予約申込をした端末装置に前記アクセスし、前記検索情報を送信するステップと、当該検索情報を受信した端末装置が、前記Ｐ２Ｐ接続を行った端末装置に対し、当該Ｐ２Ｐ接続により当該検索情報を送信するステップとと、以上の一連の連係ステップである主催者主導型予約方法の構成採用にある。
【００２３】
本発明方法の第８の特徴は、上記本発明方法の第７の特徴における予約申込の手続を行うステップが、前記予約受付装置が、事前の会員登録により前記端末装置のアドレス情報を蓄積しておき、予約申込の要求をした前記端末装置に対し、当該事前の会員登録で取得した端末装置のアドレス情報により前記Ｐ２Ｐ接続先の端末装置を決定し、当該Ｐ２Ｐ接続先の端末装置のアドレス情報を予約申込の要求した前記端末装置に送信するステップである主催者主導型予約方法の構成採用にある。
【００２４】
本発明方法の第９の特徴は、上記本発明方法の第１、第２、第３、第４、第５又は第６の特徴における予約希望情報を蓄積するステップ及び検索結果情報を前記予約受付装置へ送信するステップが、前記端末装置を代行する端末代行装置により行われ、検索情報を送信するステップが、前記予約受付装置が当該端末代行装置に対して検索情報を送信するステップである主催者主導型予約方法の構成採用にある。
【００２５】
本発明方法の第１０の特徴は、上記本発明方法の第１、第２、第３、第４、第５、第６、第７、第８又は第９の特徴における検索結果情報を前記予約受付装置へ送信するステップが、前記検索情報と前記予約希望情報が一致したときのみ前記検索結果情報を前記予約受付装置へ送信する主催者主導型予約方法の構成採用にある。
【００２６】
一方、本発明システムの第１の特徴は、予約申込者の端末装置より通信ネットワークを介して主催者の予約受付装置にアクセスして予約を行うシステムにおいて、前記予約受付装置は、前記端末装置から受信した予約の費用精算の情報を蓄積する費用手続受付手段と、前記端末装置から受信した当該端末装置のアドレス情報を蓄積する予約手続受付手段と、前記端末装置から受信した検索結果情報を蓄積する検索結果受信手段と、当該端末装置にアクセスし検索情報を送信する機能と、前記検索結果情報と前記予約の費用精算の情報から費用の精算をする機能とを有する予約受付装置制御手段とを備え、前記端末装置が、前記予約に必須の情報である予約希望情報を蓄積する予約希望情報蓄積手段と、前記予約受付装置から受信した前記検索情報により前記予約希望情報を検索し前記検索結果情報を生成する予約希望情報検索手段と、前記予約の費用精算の情報を前記予約受付装置へ送信する機能と、当該端末装置のアドレス情報を前記予約受付装置へ送信する機能と、前記検索結果情報を前記予約受付装置へ送信する機能とを有する端末装置制御手段とを備えてなる主催者主導型予約システムの構成採用にある。
【００２７】
本発明システムの第２の特徴は、上記本発明システムの第１の特徴における予約希望情報が、前記主催者毎に指定された項目及び内容である主催者主導型予約システムの構成採用にある。
【００２８】
本発明システムの第３の特徴は、上記本発明システムの第１の特徴における予約希望情報が、前記予約の申込毎に指定された項目及び内容である主催者主導型予約システムの構成採用にある。
【００２９】
本発明システムの第４の特徴は、上記本発明システムの第１、第２又は第３の特徴における予約の費用精算の情報が、前記主催者毎の指定された項目及び内容である主催者主導型予約システムの構成採用にある。
【００３０】
本発明システムの第５の特徴は、上記本発明システムの第１、第２又は第３の特徴における予約の費用精算の情報が、前記予約の申込毎に指定された項目及び内容である主催者主導型予約システムの構成採用にある。
【００３１】
本発明システムの第６の特徴は、上記本発明システムの第１、第２、第３、第４又は第５の特徴における予約希望情報が、希望するイベントの題名、日程、性別、生年月日、電話番号、Ｅ−ｍａｉｌアドレス等であり、前記予約の費用精算の情報が、予約申込費支払用の決済及び予約が完了したときのチケット代等の個人情報である主催者主導型予約システムの構成採用にある。
【００３２】
本発明システムの第７の特徴は、上記本発明システムの第１、第２、第３、第４、第５又は第６の特徴における予約手続受付手段が、前記端末装置からアドレス情報を受信した際に、当該アドレス情報を蓄積し、既に予約申込をした前記端末装置のアドレス情報を予約申込の要求をした他の前記端末装置に対して送信可能に機能構成され、前記端末装置が、他の前記端末装置のアドレス情報を受信した場合にあっては、当該アドレス情報により特定される前記端末装置とＰ２Ｐ接続可能に、かつ、前記受信した検索情報を当該Ｐ２Ｐ接続先の端末装置へ送信可能に、それぞれ機能構成されてなる主催者主導型予約システムの構成採用にある。
【００３３】
本発明システムの第８の特徴は、上記本発明システムの第７の特徴における予約手続受付手段が、事前に会員登録がなされる場合にあっては、会員である予約申込者の前記端末装置のアドレス情報を蓄積しておき、当該情報から前記Ｐ２Ｐ接続先の端末装置のアドレス情報を決定し、当該アドレス情報を予約申込の要求をした前記端末装置に送信してなる主催者主導型予約システムの構成採用にある。
【００３４】
本発明システムの第９の特徴は、上記本発明システムの第１、第２、第３、第４、第５又は第６の特徴における前記予約希望情報蓄積手段及び前記予約希望情報検索手段が、前記予約希望情報蓄積手段及び前記予約希望情報検索手段は、前記予約申込者の端末装置内に代えて、別設した端末代行装置内に設けられ、これに伴い、前記予約受付装置制御手段は、当該端末代行装置に対して前記検索情報を送信する機能を有せしめ、前記端末代行装置は、当該端末代行装置のアドレス情報を前記予約受付装置へ送信する機能と、前記予約希望情報検索手段により生成された検索結果情報を前記予約受付装置へ送信する機能とを有する端末代行装置制御手段をさらに備えてなる主催者主導型予約システムの構成採用にある。
【００３５】
本発明システムの第１０の特徴は、上記本発明システムの第１、第２、第３、第４、第５、第６、第７、第８又は第９の特徴における端末装置制御手段及び端末代行装置制御手段が、前記検索情報と前記予約希望情報が一致したときのみ前記検索結果情報を前記予約受付装置へ送信する機能を有する主催者主導型予約システムの構成採用にある。
【００３６】
【発明の実施の形態】
以下、図面を参照して、本発明の実施の形態をシステム例及び方法例につき詳細に説明する。
【００３７】
（システム例）
本発明の実施形態である主催者主導型予約システムαを図１に示す。本図において主催者主導型予約システムαは、通信ネットワークＮ（Ｉｎｔｅｒｎｅｔ  Ｐｒｏｔｏｃｏｌを用いた通信を可能とするネットワーク）と、主催者側が管理する予約受付装置１と、予約申込者の使用する端末装置２とから構築される。
【００３８】
主催者の予約受付装置１は、予約受付装置制御部３と、費用手続受付部４と、予約手続受付部５、検索結果受信部６とから手段構成される。予約申込者の端末装置２は、端末装置制御部７と、予約希望情報蓄積部８と、予約希望情報検索部９とから手段構成されることを示している。また、予約受付装置１と端末装置２の間の論理的なつながりを矢印で示している。
【００３９】
費用手続受付部４は、端末装置２からアクセスされると、予約受付装置制御部３の制御とともに、予約の費用の手続として、予約の費用精算の情報である決済用の個人情報（予約申込費支払用の決済及び予約完了したときのチケット代等）を受信し蓄積する。
予約手続き受付部５は、端末装置２からアクセスされると、予約受付装置制御部３の制御とともに、予約申込の手続として、端末装置２のアドレス情報を受信・蓄積し、要求によりアドレス情報の送信を行う。
【００４０】
検索結果受信部６は、予約受付装置制御部３と共同し、端末装置２から送信される検索結果情報を受信し蓄積する。予約受付装置制御部３は、上記機能の他、予約手続受付部５に蓄積した端末装置２のアドレス情報をもとに端末装置２にアクセスし検索情報を送信すること、及び検索結果受信部６に蓄積した検索結果情報と費用手続受付部４に蓄積した個人情報により費用の精算を行う。
【００４１】
一方、予約希望情報蓄積部８は、端末装置制御部７の制御とともに、予約申込者の予約希望情報として、希望するイベントの題名、日程、性別、生年月日、電話番号、Ｅ−ｍａｉｌアドレス等を蓄積する。
予約希望情報検索部９は、端末装置制御部７の制御とともに、主催者の予約受付装置１からアクセスされ検索情報が送信されると、予約希望情報蓄積部８に蓄積している予約申込者の予約希望情報を検索条件により検索する。
【００４２】
端末装置制御部７は、上記機能の他、費用手続受付部４へアクセスすることと、予約手続受付部５へアクセスすることと、予約希望情報検索部９で検索した検索結果情報を検索結果受信部６へ送信することを行う。
【００４３】
（方法例）
前記システム例に適用する本発明の実施形態である方法例をその実施ステップとともに説明する。
図２は、本発明の実施形態である方法例の動作フローを示している。
【００４４】
端末装置２は、端末装置２（予約希望情報蓄積部８）に予約申込者の予約希望情報を蓄積し（ＳＴ１）、主催者の予約受付装置１１（費用手続受付部４）へアクセスし予約の費用の手続をし（ＳＴ２）、続いて主催者の予約受付装置１（予約手続受付部５）へアクセスし予約申込の手続を行う（ＳＴ３）。
主催者の予約受付装置１は、申込締切を設定している場合は締切後に、申込締切を設定していない場合は即時に、予約申込者の予約希望情報を蓄積した端末装置２（予約希望情報検索部９）へアクセスし検索情報を送信する（ＳＴ４）。
【００４５】
端末装置２（予約希望情報検索部９）は、本検索情報により予約希望情報蓄積部８に蓄積している予約申込者の予約希望情報を検索し（ＳＴ５）、検索結果情報を主催者の予約受付装置１（検索結果受信部６）へ送信する（ＳＴ６）。
主催者の予約受付装置１は、当該検索結果情報と費用手続受付部４に蓄積している個人情報により予約申込費の決済や予約が完了した申込者にはチケット代等の精算を行う（ＳＴ７）。
【００４６】
本実施形態例では、予約申込者側の端末装置に、希望するイベントの題名、日程、性別、生年月日、電話番号、Ｅ−ｍａｉｌアドレス等の予約希望情報を蓄積し、主催者側の予約受付装置はこれらの予約希望情報に順番にアクセスしていくことになるため、トラヒックは一定量で推移することになる。
【００４７】
そして、従来の早い者勝ち方式の予約を採用した場合に生じた短時間での大量アクセス発生によるトラヒックの急上昇という問題は解決される。また、予約希望情報は主催者側のシステム内に蓄積されないことから、予約完了者を選択するための予約希望情報の検索処理も端末装置で分散して行うことになり、主催者のシステムの容量や処理性能は大きくならずにすむ。
【００４８】
さらに、予約希望情報の検索条件は主催者が自由に決めることができることから主催者主導で進められる予約方法となる。また、決済を可能とすることからチケット代等に加えて、予約申込にかかる費用等の稼動の対価をも得ることもできるようになる。
【００４９】
【実施例】
以下に、３つの実施例について説明する。システム例１及び方法例１は、予約希望情報の蓄積及び予約希望情報の検索処理を、予約申込者の端末装置において分散して行う具体例について、システム例２及び方法例２は、Ｐ２Ｐ接続の利用により予約申込者の端末装置への接続処理をネットワーク側で行い更なる分散処理を図る例について、システム例３及び方法例３は、予約希望情報の蓄積機能及び予約希望情報の検索機能を持たない端末装置の場合における本実施形態例の適用実施についての具体例である。
【００５０】
（システム例１）
図３に、本発明の実施例であるシステム例１を示す。
本図は、通信ネットワークＮと、主催者の予約受付装置１と、予約申込者の端末装置Ａ２１〜Ｃ２３から構成される主催者主導型予約システムαの実施例である。
【００５１】
主催者の予約受付装置１は、課金サーバ４１と、受付サーバ５１と、予約サーバ６１の３つのサーバから構成されている。課金サーバ４１は、課金サーバ制御装置４２と、費用手続受付装置４３と図示されていないその他の装置から構成されている。さらに、費用手続受付装置４３は、費用手続受付モジュール４４と、個人情報Ａ〜Ｃから構成されている。
【００５２】
受付サーバ５１は、受付サーバ制御装置５２と予約手続受付装置５３と、図示されていないその他の装置から構成されている。さらに、予約手続受付装置５３は、予約手続受付モジュール５４と、アドレスＡ〜Ｃから構成されている。また、予約サーバ６１は、予約サーバ制御装置６２と、検索結果受信装置６３と、図示されていないその他の装置から構成されている。さらに、検索結果受信装置６３は、検索結果受信モジュール６４と、検索結果Ａ〜Ｃから構成されている。
【００５３】
一方、端末装置Ａ２１は、端末制御装置７１と、予約希望情報蓄積装置８１と、予約希望情報検索装置９１と、図示されていないその他の装置とから構成される。また、端末装置Ｂ２２、端末装置Ｃ２３についても同様に構成されている。以下、端末装置Ａ２１による予約申込を例に説明する。
【００５４】
課金サーバ４１の費用手続受付装置４３は、情報の流れを費用手続受付モジュール４４で制御し、端末装置Ａ２１を使用する予約申込者の予約申込費支払用の決済及び予約完了したときのチケット代等決済用の個人情報を個人情報Ａで蓄積する。また、同様にして端末装置Ｂ２２を個人情報Ｂで、端末装置Ｃ２３を個人情報Ｃで蓄積する。
【００５５】
そして、課金サーバ制御装置４２の制御とともに、端末装置Ａ２１からアクセスされると、予約の費用精算の情報として個人情報を受信し、続いて個人情報の受信済みであることを証明する予約キーを設定し、個人情報Ａに蓄積し、予約キーを端末装置Ａ２１へ送信する。
【００５６】
受付サーバ５１の予約手続受付装置５３は、情報の流れを予約手続受付モジュール５４で制御し、端末装置Ａ２１のアドレス情報をアドレスＡで蓄積する。また、同様にして端末装置Ｂ２２をアドレスＢで、端末装置Ｃ２３をアドレスＣで蓄積する。
そして、受付サーバ制御装置５２の制御とともに、端末装置Ａ２１からアクセスされると、個人情報を受信済みである情報（予約キー）のあることを確認し、端末装置Ａ２１のアドレス情報を受信しアドレスＡに蓄積する。
【００５７】
予約サーバ６１の検索結果受信装置６３は、情報の流れを検索結果受信モジュール６４で制御し、端末装置Ａ２１から送信される検索結果情報を検索結果Ａで蓄積する。また、同様にして端末装置Ｂ２２を検索結果Ｂで、端末装置Ｃ２３を検索結果Ｃで蓄積する。
【００５８】
そして、予約サーバ制御装置６２の制御とともに、端末装置Ａ２１から検索結果情報が送信されると、個人情報を受信済みである情報（予約キー）のあることを確認し、受信した検索結果情報を検索結果Ａに蓄積する。
【００５９】
予約サーバ制御装置６２は、上記機能の他、受付サーバ制御装置５２の制御とともに、アドレスＡに蓄積した端末装置Ａ２１のアドレス情報をもとに端末装置Ａ２１にアクセスし検索情報を送信すること、及び検索結果Ａに蓄積する検索結果情報と個人情報Ａに蓄積する個人情報により費用の精算をすることを行う。
一方、端末装置Ａ２１の予約希望情報蓄積装置８１は、端末制御装置７１の制御とともに、予約希望情報として、希望するイベントの題名、日程、性別、生年月日、電話番号、Ｅ−ｍａｉｌアドレス等を蓄積する。
【００６０】
予約希望情報検索装置９１は、端末制御装置７１の制御とともに、予約サーバ６１からアクセスされ検索情報が送信されると、当該検索情報により予約希望情報蓄積装置８１に蓄積している予約希望情報を検索する。
端末制御装置７１は、上記機能の他、課金サーバ４１（費用手続受付装置４３）へアクセスすることと、受付サーバ５１（予約手続受付装置５３）へアクセスすることと、予約希望情報検索装置９１で検索した検索結果情報を予約サーバ６１（検索結果受信装置６３）へ送信することを行う。
【００６１】
上記のとおり、予約手続受付装置５３は、端末装置Ａ２１からアクセスされると、個人情報を受信済みである情報（予約キー）があることを確認し端末装置Ａ２１のアドレス情報をアドレスＡに蓄積することになる。
【００６２】
予約キーがついていない場合には、予約希望情報若しくは予約の費用精算の情報についての問合せであるか、又は事前の会員登録（システム例２及び方法例２で説明する。）についての問合せあるので、予約希望情報あるいは予約の費用精算の情報についての問合せであることを選択指示することにより、これらの情報について送信することが可能になるため、申込毎の指定が可能になる。
【００６３】
そして、申込毎の指定が可能になることにより、申込をする時間や、位置情報と連動させることにより申込をする場所に応じて申込者が予約希望情報に書き込む項目や内容を最適なものに変えることができるようになる。
また、端末装置Ａ２１は、検索情報により予約申込者の予約希望情報を検索し検索結果情報を予約サーバ６１へ送信するにあたっては、検索情報と予約申込者の予約希望情報が一致したときのみ検索結果情報を予約サーバ６１へ送信することができるように適宜変更可能に構成することもできる。
【００６４】
（方法例１）
図４に、図３に示すシステム例１に適用した本発明の方法例１の動作シーケンスを示す。
本図は、端末装置Ａ２１と、課金サーバ４１と、受付サーバ５１と、予約サーバ６１間の動作シーケンス例である。予約サーバ６１は、保有する予約希望情報及び予約の費用の手続についての項目と内容を予約手続条件として受付サーバ５１へ送信する（ＳＴ１１）。
【００６５】
端末装置Ａ２１は、予約を希望しているチケット等の予約手続条件を承知していない場合には予約手続条件を知るために受付サーバ５１（予約手続受付装置５３）へ、予約手続条件の要求（予約キーはつけない）を送信し（ＳＴ１２）、予約手続条件を送信してもらい、これを受信する（ＳＴ１３）。これにより申込毎の予約希望情報及び予約の費用の手続についての項目や内容の指定が可能になる。
【００６６】
しかしながら、予約申込時の操作をできるだけ少なくするには、主催者毎に予約希望情報および予約の費用の手続についての項目や内容を事前に指定しておくことにより、本操作を省略することができる。
【００６７】
端末装置Ａ２１は、予約申込者の予約希望情報を端末装置Ａ２１（予約希望情報蓄積装置８１）に蓄積すると（ＳＴ１４）、課金サーバ４１（費用手続受付装置４３）へ予約の費用の手続の要求とともに個人情報を送信する（ＳＴ１５）。これに対して、課金サーバ４１（費用手続受付装置４３）は、受信した個人情報を蓄積し予約キーを設定し（ＳＴ１６）、当該予約キーを端末装置Ａ２１へ送信する（ＳＴ１７）。
【００６８】
端末装置Ａ２１は、当該予約キーを受信したことにより予約申込の準備が整ったものとし、受付サーバ５１（予約手続受付装置５３）へ予約申込手続の要求とともに予約キーを付して端末装置Ａ２１のアドレス情報を送信する（ＳＴ１８）。これに対して、受付サーバ５１（予約手続受付装置５３）は、受信したアドレス情報に予約キーが設定してあることを確認すると当該アドレス情報を蓄積する（ＳＴ１９）。
【００６９】
そして、申込締切後に、予約サーバ６１は、受付サーバ５１にアドレス情報の要求を送信し（ＳＴ２０）、受付サーバ５１から予約手続受付装置５３に蓄積した端末装置Ａ２１のアドレス情報を送信してもらい（ＳＴ２１）、受信した端末装置Ａ２１のアドレス情報により端末装置Ａ２１へアクセスし検索情報を送信する（ＳＴ２２）。
【００７０】
これに対して、端末装置Ａ２１（予約希望情報検索装置９１）は、受信した検索情報により予約希望情報蓄積装置８１に蓄積した予約希望情報を検索し（ＳＴ２３）、検索結果情報に予約キーを付して予約サーバ６１に送信する（ＳＴ２４）。
【００７１】
ここで、端末装置Ａ２１が検索結果情報を予約サーバ６１（検索結果受信装置６３）へ送信するにあたっては、検索情報と端末装置Ａ２１の予約希望情報が一致したときのみ検索結果情報を予約サーバ６１へ送信することができるように適宜変更実施可能に構成することもできる。
【００７２】
これに対して、予約サーバ６１（検索結果受信装置６３）は、予約キーのあることを確認し、端末装置Ａ２１の検索結果情報を蓄積する（ＳＴ２５）。続いて課金サーバ４１に、個人情報及び予約キー情報を要求し（ＳＴ２６）、課金サーバ４１から費用手続受付装置４３に蓄積した端末装置Ａ２１の個人情報及び予約キーを送信してもらい（ＳＴ２７）、費用の精算を行う（ＳＴ２８）。
【００７３】
上記のシステム例１に適用した方法例１の実施により、予約希望情報及び予約の費用の手続に関する項目と必要な内容を周知させる時間がない場合や、位置情報と連動させることにより予約申込者の場所に応じて予約希望情報に入力してもらう項目や内容を変更する場合に有効であり、融通性の高いチケット等の予約が可能となる。
【００７４】
（システム例２）
図５に、本発明の実施例であるシステム例２を示す。図示されるように、本システム例２の特徴は受付サーバ５１にある。すなわち、基本構成は図３と同じであるが、受付サーバ５１の予約手続受付装置５３は、予約手続受付モジュール５４と、アドレスＦと、アドレスＬと、会員アドレスとから構成されている。
【００７５】
以下、端末装置Ａ２１が最初に予約申込し、次に端末装置Ｂ２２が、最後に端末装置Ｃ２３が予約申込した場合を例に説明する。
受付サーバ５１の予約手続受付装置５３は、情報の流れを予約手続受付モジュール５４で制御し、最初に予約申込をした予約申込者の端末装置のアドレス情報をアドレスＦで、直前に予約申込をした予約申込者のアドレス情報をアドレスＬで蓄積し、会員アドレスは、会員登録された会員の端末装置のアドレス情報を蓄積し、端末装置間のＰ２Ｐの接続先を決定する。
【００７６】
そして、受付サーバ制御装置５２の制御により、最初に端末装置Ａ２１からアクセスされると、端末装置Ａ２１のアドレス情報を受信しアドレスＦに蓄積する。また、端末装置Ａ２１は、最初でかつ直前の予約申込者の端末装置であることからアドレスＬにも端末装置Ａ２１のアドレス情報を蓄積する。
次に、端末装置Ｂ２２からアクセスされるとアドレスＬの内容を端末装置Ｂ２２のアドレス情報に置き換えるとともに、それまでアドレスＬに蓄積していた端末装置Ａ２１のアドレス情報を端末装置Ｂ２２に送信する。
【００７７】
さらに、端末装置Ｃ２３からアクセスされるとアドレスＬの内容を端末装置Ｃ２３のアドレス情報に置き換え、それまでアドレスＬに蓄積していた端末装置Ｂ２２のアドレス情報を端末装置Ｃ２３に送信する。
また、予約サーバ制御装置６２からのアドレス情報の要求に対し、アドレスＦに蓄積したアドレス情報を送信する。このようにして受付サーバ５１は、アクセスされる毎に各端末装置間のＰ２Ｐ接続形態を逐次構成していくことになる。
【００７８】
一方、端末装置Ａ２１〜Ｃ２３は、基本構成は図３と同じであるが、受付サーバ５１にアクセスし端末装置のアドレス情報を送信した際に、受付サーバ５１から他の端末装置のアドレス情報が送信された場合には、そのアドレス情報によって特定される端末装置との間でＰ２Ｐ接続を行う機能を持つ。
【００７９】
例えば、端末装置Ｂ２２から受付サーバ５１にアクセスし端末装置Ｂ２２のアドレス情報を送信したとき、受付サーバ５１から端末装置Ａ２１のアドレス情報が送信されるので、端末装置Ｂ２２はその後、端末装置Ａ２１に対しＰ２Ｐ接続し、端末装置Ａ２１のＰ２Ｐ接続先である後位は端末装置Ｂ２２であることを知らせる。
【００８０】
また、後位に端末装置がついたことを知った端末装置は、予約サーバ６１より検索情報が送信されると、本検索情報をＰ２Ｐ接続により後位に知らせることを行う。例えば、端末装置Ｂ２２は、端末装置Ａ２１からＰ２Ｐ接続によりアクセスされ検索情報を送信されるので、端末装置Ｃ２３へＰ２Ｐ接続によりアクセスし検索情報を送信する。
【００８１】
また、事前に会員登録がなされる場合は受付サーバ５１は、端末装置Ａ２１〜Ｃ２３からアクセスされることにより、端末装置Ａ２１〜Ｃ２３のアドレス情報を会員アドレスに蓄積し、Ｐ２Ｐの接続先を決定し、端末装置Ａ２１〜Ｃ２３に接続先の端末装置のアドレス情報を送信する。
【００８２】
例えば、端末装置Ａ２１の後位に端末装置Ｂ２２を、さらにその後位に端末装置Ｃ２３と決めた場合は、端末装置Ｂ２２へは端末装置Ａ２１のアドレス情報を、端末装置Ｃ２３には端末装置Ｂ２２のアドレス情報を送信する。その結果、アドレスＦには端末装置Ａ２１のアドレス情報が、アドレスＬには端末装置Ｃ２３のアドレス情報が蓄積される。
【００８３】
したがって、事前に会員登録がなされる場合には、受付サーバ５１は、一括してＰ２Ｐ接続形態を構成することになる。なお、この際、予約申込時に受付サーバ５１へアクセスし端末装置のアドレス情報を送信する必要はない。
【００８４】
（方法例２）
図６に、図５に示すシステム例２に適用した本発明の方法例２の動作シーケンスを示す。
基本構成は図４と同じであるため、端末装置Ａ２１が受付サーバ５１へ予約申込手続の要求をするところ（ＳＴ１８）から説明する。
【００８５】
最初に、端末装置Ａ２１が受付サーバ５１（予約手続受付装置５３）へ予約申込手続の要求とともに端末装置Ａ２１のアドレス情報を送信すると（ＳＴ１８）、受付サーバ５１（予約手続受付装置５３）は、端末装置Ａ２１のアドレス情報を、先頭の予約申込者の端末装置のアドレス情報及び直前の予約申込者の端末装置のアドレス情報として蓄積する（ＳＴ１９ａ）。
【００８６】
次に、端末装置Ｂ２２が、受付サーバ５１（予約手続受付装置５３）へ予約申込手続の要求とともに端末装置Ｂ２２のアドレス情報を送信すると（ＳＴ１８）、受付サーバ５１（予約手続受付装置５３）は、直前の予約申込者の端末装置のアドレス情報を端末装置Ｂ２２のアドレス情報に置き換える（ＳＴ１９ａ）。
【００８７】
それまで直前の予約申込者の端末装置のアドレス情報に蓄積していた端末装置Ａ２１のアドレス情報を端末装置Ｂ２５に送信する（ＳＴ１９ｂ）。その後、端末装置Ｂ２２は、受信したアドレス情報をもとに端末装置Ａ２１にＰ２Ｐ接続し、後位に端末装置Ｂ２２が付いたことを知らせる（ＳＴ１９ｃ）。
【００８８】
さらに、端末装置Ｃ２３が受付サーバ５１（予約手続受付装置５３）へ予約申込手続の要求とともに端末装置Ｃ２３のアドレス情報を送信すると（ＳＴ１８）、受付サーバ５１（予約手続受付装置５３）は、直前の予約申込者の端末装置のアドレス情報を端末装置Ｃ２３のアドレス情報に置き換える（ＳＴ１９ａ）。
【００８９】
それまで直前の予約申込者の端末装置のアドレス情報に蓄積していた端末装置Ｂ２２のアドレス情報を端末装置Ｃ２３に送信する（ＳＴ１９ｂ）。その後、端末装置Ｃ２３は、受信したアドレス情報をもとに端末装置Ｂ２２にＰ２Ｐ接続し、後位に端末装置Ｃ２３が付いたことを知らせる（ＳＴ１９ｃ）。
【００９０】
そして、申込締切後に、予約サーバ６１は、受付サーバ５１に予約申込者のアドレス情報の要求をし（ＳＴ２０）、受付サーバ５１から予約手続受付装置５３に蓄積した先頭の予約申込者の端末装置のアドレス情報として蓄積されている端末装置Ａ２１のアドレス情報を送信してもらう（ＳＴ２１）。その後、受信した端末装置Ａ２１のアドレス情報をもとに端末装置Ａ２１へアクセスし、検索情報を送信する（ＳＴ２２）。
【００９１】
そして、端末装置Ａ２１（予約希望情報検索装置９１）は、受信した検索情報により予約希望情報蓄積装置８１に蓄積した予約希望情報を検索し（ＳＴ２３）、検索結果情報を予約サーバ６１に送信するとともに（ＳＴ２４）、端末装置Ｂ２２へＰ２Ｐ接続によりアクセスし検索情報を送信する（ＳＴ２９）。
【００９２】
その後、端末装置Ｂ２２は、検索情報が送信されたことにより予約希望情報を検索し（ＳＴ２３）、検索結果情報を予約サーバ６１に送信するとともに（ＳＴ２４）、端末装置Ｃ２３へＰ２Ｐ接続によりアクセスし検索情報を送信する（ＳＴ２９）。そして、端末装置Ｃ２３は、検索情報が送信されたことにより予約希望情報を検索し（ＳＴ２３）、検索結果情報を予約サーバ６１に送信する（ＳＴ２４）。
【００９３】
ここで、各端末装置Ａ２１〜Ｃ２３が検索結果情報を予約サーバ６１（検索結果受信装置６３）へ送信するにあたっては、検索情報と各端末装置Ａ２１〜Ｃ２３の予約希望情報が一致したときのみ検索結果情報を予約サーバ６１へ送信することができるように適宜変更実施可能に構成することもできる。
【００９４】
その後、予約サーバ６１（検索結果受信装置６３）は、端末装置Ａ２１〜Ｃ２３から送信される検索結果情報を蓄積し（ＳＴ２５）、続いて課金サーバ４１に対して個人情報及び予約キー情報を要求し（ＳＴ２６）、課金サーバ４１から費用手続受付装置４３に蓄積した端末装置Ａ２１〜Ｃ２３の個人情報及び予約キーを送信してもらい（ＳＴ２７）、費用の精算を行う（ＳＴ２８）。
【００９５】
また、事前に会員登録がなされる場合は、端末装置Ａ２１〜Ｃ２３は、受付サーバ５１（予約手続受付装置５３）へ会員登録の要求とともにアドレス情報を送信する（ＳＴ３０）。ここで、予約希望情報の端末装置への蓄積及び予約の費用の手続は図４と同じである。
【００９６】
受付サーバ５１は、事前会員登録の要求とともに受信したアドレス情報によりＰ２Ｐの接続先を決定する。例えば、端末装置Ａ２１の後位に端末装置Ｂ２２を、さらにその後位に端末装置Ｃ２３と決めた場合は、先頭の予約申込者の端末装置として端末装置Ａ２１のアドレス情報を、直前の予約申込者の端末装置のアドレス情報として端末装置Ｃ２３のアドレス情報を蓄積し（ＳＴ１９ａ）、端末装置Ｂ２２へは端末装置Ａ２１のアドレス情報を、端末装置Ｃ２３には端末装置Ｂ２２のアドレス情報を送信する（ＳＴ１９ｂ）。
【００９７】
ここで、本発明のシステム例２及び方法例２では、検索情報がＰ２Ｐ接続で予約申込者の端末装置に送信されるが、途中に位置する端末装置の不具合等により接続できなくなることを防止するため、Ｐ２Ｐ接続を二重にする、あるいはＰ２Ｐ接続で応答がなかったときは次の端末装置にアクセスできるようにするため、受付サーバ５１の予約手続受付装置５３には全ての予約申込者の端末装置のアドレス情報を接続の順番も含めて蓄積しておき、Ｐ２Ｐ接続できなかった端末装置からの問合せに答えられるようにする等して対応することができる。
【００９８】
上記した通り、本実施例のシステム例２及び方法例２では、端末装置間でＰ２Ｐ接続を行うことにより、予約希望情報の蓄積の分散、予約希望情報の検索処理の分散に加えて、予約申込者の端末装置への接続処理の分散を実現することができ、システムの負担を一層軽くすることができる。
【００９９】
（システム例３）
図７に、本発明の実施例であるシステム例３を示す。図示されるように、本発明システム例３の特徴は端末代行装置３１を設けたことにある。すなわち、基本構成は図３と同じであるが、受付サーバ５１の予約手続受付装置５３は、予約手続受付モジュール５４とアドレスＦから構成され、端末装置Ｘ２４は、端末制御装置７４及び図示されていないその他の装置から構成され、端末装置Ｙ２５及び端末装置Ｚ２６についても同様な構成となっている。
【０１００】
そして、端末代行装置３１は、端末代行制御装置３２と、予約希望情報蓄積装置Ｘ３３〜Ｚ３５と、予約希望情報検索装置３６と、図示されていないその他の装置から構成される。以下、端末装置Ｘ２４が予約申込をした場合を例に説明する。
【０１０１】
受付サーバ５１の予約手続受付装置５３は、情報の流れを予約手続受付モジュール５４で制御し、最初に予約申込をした端末装置のアドレス情報をアドレスＦで蓄積する。そして、予約サーバ６１からアドレス情報の要求があったときは、アドレスＦの蓄積内容を送信する。
一方、端末装置Ｘ２４〜Ｚ２６は、音声及びキャラクタを送受信可能に構成される。
【０１０２】
端末代行装置３１は、予約申込者の端末装置からアクセスされ予約手続条件の要求があると、事前に入手していた本予約手続条件を当該要求した端末装置へ送信する。そして、手続を承知していない予約申込者に対しては、適切なガイドを提供し、予約申込者は音声あるいはボタンの操作により、予約希望情報及び個人情報を生成することができるように構成することができる。
【０１０３】
そして、端末装置Ｘ２４からアクセスされ予約希望情報及び個人情報が送信されると予約希望情報蓄積装置Ｘ３３に蓄積し、受信した個人情報を課金サーバ４１へ送信し、続いて課金サーバ４１から送られてくる予約キーを端末装置Ｘ２４へ送信する。
【０１０４】
そして、端末装置Ｘ２４からアドレス情報が送信されると、自分（端末代行装置３１）のアドレス情報に置き換え受付サーバ５１へ送信し、予約サーバ６１から送られてくる検索情報により予約希望情報検索装置３６において予約希望情報蓄積装置Ｘ３３にある予約希望情報を検索し、検索結果情報を予約サーバ６１へ送信する。
【０１０５】
（方法例３）
図８に、図７に示すシステム例３に対応する本発明の方法例３の動作シーケンスを示す。本図は、端末装置Ｘ２４〜Ｚ２６と、端末代行装置３１と、課金サーバ４１と、受付サーバ５１と、予約サーバ６１間の動作シーケンス例である。
【０１０６】
予約サーバ６１は、予約手続条件を受付サーバ５１へ送信する（ＳＴ１１）。端末代行装置３１は、受付サーバ５１（予約手続受付装置５３）へ、予約手続条件の要求を送信し（ＳＴ１２ａ）、要求した予約手続条件を受信する（ＳＴ１３ａ）。
【０１０７】
端末装置Ｘ２４は、端末代行装置３１に予約手続条件の要求を送信し（ＳＴ１２ｂ）、本予約手続条件を送信してもらう（ＳＴ１３ｂ）。その後、予約希望情報を生成して端末代行装置３１へ送信すると（ＳＴ１４ａ）、端末代行装置３１は受信した予約希望情報を予約希望情報蓄積装置Ｘ３３に蓄積する（ＳＴ１４ｂ）。その後、端末装置Ｘ２４は端末代行装置３１から蓄積完了情報を受信すると（ＳＴ１４ｃ）、費用の手続の要求とともに個人情報を送信し（ＳＴ１５ａ）、端末代行装置３１を経由して課金サーバ４１へ送信する（ＳＴ１５ｂ）。
【０１０８】
そして、課金サーバ４１が個人情報を蓄積し、予約キーを設定すると（ＳＴ１６）、課金サーバ４１から予約キーが送信されてくるので（ＳＴ１７ａ、ＳＴ１７ｂ）、端末装置Ｘ２４は、予約申込手続の要求とともに本予約キーを付して端末装置Ｘ２４のアドレス情報を端末代行装置３１へ送信する（ＳＴ１８ａ）。
端末代行装置３１は、端末装置Ｘ２４のアドレスを端末代行装置３１のアドレスに置き換えて受付サーバ５１へ送信し（ＳＴ１８ｂ）、受付サーバ５１は、端末代行装置３１のアドレス情報を蓄積する（ＳＴ１９ａ）。
【０１０９】
以降のシーケンス動作は図４と同じであるが、予約サーバ６１は、端末代行装置３１にアクセスし検索情報を送信し（ＳＴ２２ａ）、端末代行装置３１は、本検索情報により検索し（ＳＴ２３ａ、ＳＴ２３ｂ、ＳＴ２３ｃ）、検索結果情報を予約サーバ６１に送信する（ＳＴ２４ａ）。
【０１１０】
ここで、端末代行装置３１が検索結果情報を予約サーバ６１（検索結果受信装置６３）へ送信するにあたっては、検索情報と予約希望情報蓄積装置Ｘ３３〜Ｚ３５に格納される各端末装置Ｘ２４〜Ｚ２６の予約希望情報が一致したときのみ検索結果情報を予約サーバ６１へ送信することができるように適宜変更実施可能に構成することもできる。
【０１１１】
上記した本発明のシステム例３及び方法例３の実施により、予約希望情報を蓄積し検索情報により検索する機能を持たない端末装置によって構成される場合や、Ｐ２Ｐ接続ができない端末装置によって構成される場合であっても、本発明の構成を適用可能とするものであり、利用できる端末装置の範囲を拡大することができるものである。
【０１１２】
また、上記したシステム例１〜３及び方法例１〜３において、検索結果情報から条件に合致する予約申込者が購入可能数より多い場合は予約サーバ６１で絞り込むか、あるいは条件に合致する予約申込者の数をカウントし購入可能数に達したら検索情報の送信を中止するように適宜変更して実施可能である。
【０１１３】
さらに、本発明のシステム例１〜３及び方法例１〜３は、チケット等の予約に限られずに実施できるものである。即ち、主催者側と予約申込者側の双方が有する情報の整合をためのシステム及び方法と見ることができる。例えば、主催者が持つ「このような人を対象にしたい」というチケット予約の条件（情報）と予約申込者の持つ「私はこのような人です。」という情報の整合ということになる。
【０１１４】
例えば、多くの消費者に食べ物や趣味等について回答してもらったものを各自の端末装置に蓄積しておいてもらい、市場調査側からりんごが好きな人はどの位いるか等を必要時に、即時に調査することができるようになる。
【０１１５】
また、別な例として、求職者が自分の希望を求職希望情報として自分の端末装置に蓄積しておき、それを求人側が検索条件を決めて検索することができるようになる。立場を代えれば、求人側が自分の端末装置に求人情報を蓄積しておき、それを求職者が自分の希望条件で検索することができるようにもなる。
以上、本発明の形態であるシステム例、方法例を説明したが、本発明の目的を達成し、下記する効果を奏する範囲において、適宜変更して実施可能である。
【０１１６】
【発明の効果】
本発明によれば、従来の予約申込者間の競争によって決まる早い者勝ち方式の予約申込者主導によるものではなく、主催者の主導で決めることになるため予約に関する情報によるトラヒックの急上昇をなくし、予約希望情報の蓄積の分散、予約希望情報の検索処理の分散を徹底しシステムにかかる過負荷を軽減することができる。
【０１１７】
また、予約申込者の端末装置間でＰ２Ｐ接続を行うことを可能とすることで、主催者側の予約受付装置から予約申込者の端末装置への接続処理の分散を可能とし、システムにかかる過負荷をさらに軽減することができる。
また、予約申込者の端末装置は、蓄積処理や検索処理機能がなくても適用でき、利用可能な端末を拡大し柔軟な構成を可能とする。
【０１１８】
また、予約申込を完了した者を選択する検索条件を主催者側で決めることができ、さらに予約申込をする時間や予約申込者の存在する位置情報等により予約希望情報の指定ができるので、きめこまやかな予約を可能とすることができる。
【図面の簡単な説明】
【図１】本発明の実施形態である主催者主導型予約システムの構築図である。
【図２】本発明の実施形態である主催者主導型予約方法のフロー図である。
【図３】本発明の実施例であるシステム例１の構成図である。
【図４】本発明の実施例である方法例１の動作シーケンス図である。
【図５】本発明の実施例であるシステム例２の構成図である。
【図６】本発明の実施例である方法例２の動作シーケンス図である。
【図７】本発明の実施例であるシステム例３の構成図である。
【図８】本発明の実施例である方法例３の動作シーケンス図である。
【符号の説明】
α…主催者主導型予約システム
Ｎ…通信ネットワーク
１…予約受付装置
２…端末装置
３…予約受付装置制御部
４…費用手続受付部
５…予約手続受付部
６…検索結果受信部
７…端末装置制御部
８…予約希望情報蓄積部
９…予約希望情報検索部
２１…端末装置Ａ
２２…端末装置Ｂ
２３…端末装置Ｃ
２４…端末装置Ｘ
２５…端末装置Ｙ
２６…端末装置Ｚ
３１…端末代行装置
３２…端末代行制御装置
３３…予約希望情報蓄積装置Ｘ
３４…予約希望情報蓄積装置Ｙ
３５…予約希望情報蓄積装置Ｚ
３６…予約希望情報検索装置
４１…課金サーバ
４２…課金サーバ制御装置
４３…費用手続受付装置
４４…費用手続受付モジュール
５１…受付サーバ
５２…受付サーバ制御装置
５３…予約手続受付装置
５４…予約手続受付モジュール
６１…予約サーバ
６２…予約サーバ制御装置
６３…検索結果受信装置
６４…検索結果受信モジュール
７１…端末装置Ａの端末制御装置
７２…端末装置Ｂの端末制御装置
７３…端末装置Ｃの端末制御装置
７４…端末装置Ｘの端末制御装置
７５…端末装置Ｙの端末制御装置
７６…端末装置Ｚの端末制御装置
８１…端末装置Ａの予約希望情報蓄積装置
８２…端末装置Ｂの予約希望情報蓄積装置
８３…端末装置Ｃの予約希望情報蓄積装置
９１…端末装置Ａの予約希望情報検索装置
９２…端末装置Ｂの予約希望情報検索装置
９３…端末装置Ｃの予約希望情報検索装置
【図１】
2004258980.tif 000003
【図２】
2004258980.tif 000004
【図３】
2004258980.tif 000005
【図４】
2004258980.tif 000006
【図５】
2004258980.tif 000007
【図６】
2004258980.tif 000008
【図７】
2004258980.tif 000009
【図８】
2004258980.tif 000010